(57)【特許請求の範囲】
【請求項１】
前縁溝槽付きディスプレイ棚搭載板用の組合せ式照明板縁構造であって、連接ユニット、収容設置ユニット、LEDランプセットを有し、
前記連接ユニットは、前記ディスプレイ棚搭載板の前縁溝槽外側と連接し、
前記収容設置ユニットは、前記連接ユニットのディスプレイ棚搭載板から離れた側と連接し、且つ上方へ並びに外へと向かい傾斜するように設置され、
前記LEDランプセットは、前記収容設置ユニットの上表面内に設置され、且つ前記LEDランプセットの光線は、前記ディスプレイ棚搭載板内へと発射され、
第一挟持ユニットは、前記収容設置ユニットの連接ユニットから離れた一端と連接し、これにより第一表示カードは、取り外し可能なように挟持されて固定され、
第二挟持ユニットは、前記収容設置ユニット底端から下向きに延伸して設置され、これにより第二表示カードは、取り外し可能なように挟持されて固定される
ことを特徴とする、前縁溝槽付きディスプレイ棚搭載板用の組合せ式照明板縁構造。
【請求項２】
前記連接ユニットは、カギ状部、垂直板部、L型板部、及びネジを有し、
前記収容設置ユニットと前記連接ユニットのカギ状部、垂直板部およびL型板部は一体に成形され、
前記垂直板部は、前記前縁溝槽の外側に密着し、
前記カギ状部は、前記垂直板部の頂点端と連接し、前記前縁溝槽内に係合し、
前記L型板部は、水平段及び垂直段を有し、前記水平段は、前記垂直板部の底端と連接し、前記ディスプレイ棚搭載板の方向へと延伸し、これにより前記水平段は、前記ディスプレイ棚搭載板下方に位置し、前記垂直段は、前記水平段の垂直板部から離れた一端と連接し、上方へと延伸して設置され、
前記ネジは、前記L型板部の垂直段を貫通し、前記前縁溝槽内側を押圧する
ことを特徴とする、請求項１に記載の前縁溝槽付きディスプレイ棚搭載板用の組合せ式照明板縁構造。
【請求項３】
前記収容設置ユニットは、前記連接ユニットの垂直板部の底端と連接し、外へ、及び上へ向かい延伸して設置されることを特徴とする、請求項２に記載の前縁溝槽付きディスプレイ棚搭載板用の組合せ式照明板縁構造。
【請求項４】
前記連接ユニットは、前記収容設置ユニットと一体に成形された板体で、前記前縁溝槽外側に直接溶接されることを特徴とする、請求項１に記載の前縁溝槽付きディスプレイ棚搭載板用の組合せ式照明板縁構造。
【請求項５】
前記収容設置ユニットは、前記連接ユニットの頂点端と連接し、外へ、及び上へ向かい延伸して設置されることを特徴とする、請求項４に記載の前縁溝槽付きディスプレイ棚搭載板用の組合せ式照明板縁構造。
【請求項６】
前記連接ユニットは、前記収容設置ユニットと一体に成形された垂直板部及び複数のプラグ部材を有し、
前記垂直板部は、前記前縁溝槽外側に密着し、各プラグ部材は、前記垂直板部及び前記前縁溝槽外側を貫通し、前記垂直板部を固定し、
前記各プラグ部材は、相互に間隔を開けて設置されることを特徴とする、請求項１に記載の前縁溝槽付きディスプレイ棚搭載板用の組合せ式照明板縁構造。
【請求項７】
前記収容設置ユニットは、前記連接ユニットの垂直板部の頂点端と連接し、外へ、及び上へ向かい延伸して設置されることを特徴とする、請求項６に記載の前縁溝槽付きディスプレイ棚搭載板用の組合せ式照明板縁構造。
【請求項８】
前記第一表示カードは、透明或いは半透明の材質で製造し、
前記第二表示カードは、透明或いは半透明の材質で製造する
ことを特徴とする、請求項１に記載の前縁溝槽付きディスプレイ棚搭載板用の組合せ式照明板縁構造。
【発明の詳細な説明】
【技術分野】
【０００１】
本発明はディスプレイ棚搭載板の設備に関し、特に前縁溝槽付きディスプレイ棚搭載板用の組合せ式照明板縁構造に関する。
【０００２】
現在使用されているディスプレイ棚搭載板の照明を、特許文献１に開示する。それが開示するモジュール化照明搭載板のディスプレイ棚は、サポートフレーム体、及び多数のモジュール化照明搭載板を有する。サポートフレーム体は、間隔を開けて設置する多数の搭載板設置部、及び各搭載板設置部にそれぞれ対応する多数の給電部を有する。各モジュール化照明搭載板は、板体、板体に設置される照明ユニット、板体内に埋設され、且つ照明ユニットに電気的に連接するコントロール回路、及び板体内から板体の周囲面外に突出し、且つコントロール回路に電気的に連接する電気連接ユニットをそれぞれ有する。各モジュール化照明搭載板が、各搭載板設置部内の一つに設置され、サポートフレーム体上に設置されると、電気連接ユニットは、搭載板設置部に対応する給電部に電気的に連接する。
【０００３】
上述の照明ユニットは、板体の下表面に設置され、且つ照明ユニットは、複数のサーチライト或いは複数のLEDストリップランプである。また、上の一層の板体下表面に設置される照明ユニットの光線は、下の一層の板体の上表面に照射される。しかしながら、もし前列の表示カードに表示しようとするなら、表示カードの後方にはバックライトモジュールを設置しなければ、最適な照明を得ることができない。よって、電力使用量が非常に大きくなり、経費が拡大してしまう。さらに、電力使用量が大きいことで、使用量が負荷を上回り、ショートや失火の危険を招きやすくなってしまう。
【先行技術文献】
【特許文献】
【０００４】
【特許文献１】台湾特許第M４７９０７７号明細書
【発明の概要】
【発明が解決しようとする課題】
【０００５】
前記先行技術において、前列の表示カードに表示しようとするなら、表示カードの後方にはバックライトモジュールを設置しなければ、最適な照明を得ることができないため、電力使用量が非常に大きくなり、経費が拡大してしまい、さらに電力使用量が大きいことで、使用量が負荷を上回り、ショートや失火の危険を招きやすくなってしまう欠点がある。
【課題を解決するための手段】
【０００６】
本発明は、構造がシンプルで、LEDランプセットはディスプレイ棚搭載板上に展示する展示品をダイレクトに照射できるばかりか、同時に第一表示カードのバックライトモジュールとしても使用でき、２個の光源を使用する必要がなく、且つ商品の商標及び品名等を表示する第一表示カード及び価格等を表示する第二表示カードを同時に挟持して固定でき、節電とコスト低下の効果を達成することができる前縁溝槽付きディスプレイ棚搭載板用の組合せ式照明板縁構造に関する。  
【０００７】
本発明による前縁溝槽付きディスプレイ棚搭載板用の組合せ式照明板縁構造は、連接ユニット、収容設置ユニット、LEDランプセットを有する。該連接ユニットは、ディスプレイ棚搭載板の前縁溝槽外側と連接する。該収容設置ユニットは、該連接ユニットの該ディスプレイ棚搭載板から離れた側と連接し、且つ上方へ並びに外へと向かい傾斜するように設置される。該LEDランプセットは、該収容設置ユニットの上表面内に設置され、且つ該LEDランプセットの光線は該ディスプレイ棚搭載板内へと発射される。第一挟持ユニットは、該収容設置ユニットの該連接ユニットから離れた一端と連接し、これにより第一表示カードは、取り外し可能なように挟持されて固定される。第二挟持ユニットは、該収容設置ユニット底端から下向きに延伸して設置され、これにより第二表示カードは、取り外し可能なように挟持されて固定される。  
【０００８】
本発明によるもう一つの前縁溝槽付きディスプレイ棚搭載板用の組合せ式照明板縁構造は、連接ユニット、収容設置ユニット、LEDランプセットを有する。該連接ユニットは、カギ状部、垂直板部、L型板部、及びネジを有する。前記収容設置ユニットと前記連接ユニットのカギ状部、垂直板部およびL型板部は一体に成形される。該垂直板部は、該前縁溝槽の外側に密着し、該カギ状部は、該垂直板部の頂点端と連接し、該前縁溝槽内に係合する。該L型板部は、水平段及び垂直段を有し、該水平段は、該垂直板部の底端と連接し、該ディスプレイ棚搭載板の方向へと延伸する。これにより、該水平段は、該ディスプレイ棚搭載板下方に位置し、該垂直段は、該水平段の該垂直板部から離れた一端と連接し、上方へと延伸して設置される。ネジは、該L型板部の垂直段を貫通し、該前縁溝槽内側を押圧する。該収容設置ユニットは、該連接ユニットの垂直板部の底端と連接し、外へ、及び上へ向かい延伸して設置される。  
【０００９】
本発明によるもう一つの前縁溝槽付きディスプレイ棚搭載板用の組合せ式照明板縁構造は、連接ユニット、収容設置ユニット、LEDランプセットを有する。該連接ユニットは、前記収容設置ユニットと一体に成形された板体で、前縁溝槽外側に直接溶接される。該収容設置ユニットは、該連接ユニットの頂点端と連接し、外へ、及び上へ向かい延伸して設置される。
【００１０】
本発明によるもう一つの前縁溝槽付きディスプレイ棚搭載板用の組合せ式照明板縁構造は、連接ユニット、収容設置ユニット、LEDランプセットを有する。該連接ユニットは、前記収容設置ユニットと一体に成形された垂直板部及び複数のプラグ部材を有し、該垂直板部は、該前縁溝槽外側に密着する。各プラグ部材は、該垂直板部及び該前縁溝槽外側を貫通し、該垂直板部を固定し、該各プラグ部材は相互に間隔を開けて設置される。該収容設置ユニットは、該連接ユニットの垂直板部の頂点端と連接し、外へ、及び上へ向かい延伸して設置される。
【００１１】
本発明による前縁溝槽付きディスプレイ棚搭載板用の組合せ式照明板縁構造において、該第一表示カードは、透明或いは半透明の材質で製造し、該第二表示カードは、透明或いは半透明の材質で製造する。
【００１２】
本発明の実施形態を応用する特徴の一つは、その前縁溝槽付きディスプレイ棚搭載板用の組合せ式照明板縁構造は、構造がシンプルで、LEDランプセットはディスプレイ棚搭載板上に展示する展示品をダイレクトに照射できるばかりか、同時に第一表示カードのバックライトモジュールとしても使用でき、２個の光源を使用する必要がなく、且つ商品の商標及び品名等を表示する第一表示カード及び価格等を表示する第二表示カードを同時に挟持して固定でき、節電とコスト低下の効果を達成することができる。
【図面の簡単な説明】
【００１３】
【図１】本発明による前縁溝槽付きディスプレイ棚搭載板用の組合せ式照明板縁構造の第一実施形態の分解模式図である。
【図２】本発明による前縁溝槽付きディスプレイ棚搭載板用の組合せ式照明板縁構造の第一実施形態の立体模式図である。
【図３】本発明による前縁溝槽付きディスプレイ棚搭載板用の組合せ式照明板縁構造の第一実施形態の断面模式図である。
【図４】本発明による前縁溝槽付きディスプレイ棚搭載板用の組合せ式照明板縁構造の第一実施形態応用時の断面模式図である。
【図５】本発明による前縁溝槽付きディスプレイ棚搭載板用の組合せ式照明板縁構造の第一実施形態の応用時の外観模式図である。
【図６】本発明による前縁溝槽付きディスプレイ棚搭載板用の組合せ式照明板縁構造の第一実施形態を異なるディスプレイ棚搭載板構造に応用する分解模式図である。
【図７】図６の立体模式図である。
【図８】図６の断面模式図である。
【図９】本発明による前縁溝槽付きディスプレイ棚搭載板用の組合せ式照明板縁構造の第二実施形態の分解模式図である。
【図１０】本発明による前縁溝槽付きディスプレイ棚搭載板用の組合せ式照明板縁構造の第二実施形態の立体模式図である。
【図１１】本発明による前縁溝槽付きディスプレイ棚搭載板用の組合せ式照明板縁構造の第二実施形態の断面模式図である。
【図１２】本発明による前縁溝槽付きディスプレイ棚搭載板用の組合せ式照明板縁構造の第三実施形態の分解模式図である。
【図１３】本発明による前縁溝槽付きディスプレイ棚搭載板用の組合せ式照明板縁構造の第三実施形態の立体模式図である。
【図１４】本発明による前縁溝槽付きディスプレイ棚搭載板用の組合せ式照明板縁構造の第三実施形態の断面模式図である。
【発明を実施するための形態】
【００１４】
（一実施形態）
図１〜図８に示すとおり、本発明の第一実施形態の前縁溝槽付きディスプレイ棚搭載板用の組合せ式照明板縁構造１００は、連接ユニット１、収容設置ユニット２、LEDランプセット３、第一挟持ユニット４、及び第二挟持ユニット５を有する。
【００１５】
連接ユニット１は、ディスプレイ棚搭載板２００の前縁溝槽２１０外側と連接する。すなわち、本実施形態の連接ユニット１は、カギ状部１１、垂直板部１２、L型板部１３、及びネジ１４を有する。垂直板部１２は、前縁溝槽２１０の外側に密着する。カギ状部１１は、垂直板部１２の頂点端と連接し、前縁溝槽２１０内に係合する。L型板部１３は、水平段１３１及び垂直段１３２を有する。水平段１３１は、垂直板部１２の底端と連接し、ディスプレイ棚搭載板２００方向へと延伸する。これにより、水平段１３１は、ディスプレイ棚搭載板２００下方に位置し、垂直段１３２は、水平段１３１の垂直板部１２から離れた一端と連接し、上方へと延伸して設置される。ネジ１４は、L型板部１３の垂直段１３２を通して、前縁溝槽２１０内側を押圧する。
【００１６】
収容設置ユニット２は、連接ユニット１のディスプレイ棚搭載板２００から離れた側と連接し、且つ上方へ並びに外へと向かい傾斜するように設置される。すなわち、収容設置ユニット２は、連接ユニット１の垂直板部１２の底端と連接し、外へ及び上へと延伸して設置される。収容設置ユニット２は、プレス成形とすることができる。
【００１７】
LEDランプセット３は、収容設置ユニット２の上表面内に設置され、且つLEDランプセット３の光線は、ディスプレイ棚搭載板２００内へと発射される。LEDランプセット３は、多数のLEDランプが相互に間隔を開けて配列し細長い形状を呈し、収容設置ユニット２に収容して設置される。
【００１８】
第一挟持ユニット４は、収容設置ユニット２の連接ユニット１から離れた一端と連接し、これにより第一表示カード３００は、取り外し可能なように挟持されて固定される。第一表示カード３００は、商品の商標或いは品名等を表示でき、透明或いは半透明の材質により製造する。よって、LEDランプセット３の光線は、表示カード３００の背面部へと照射され、これによりLEDランプセット３は、表示カード３００のバックライトモジュールとして使用される。
【００１９】
第二挟持ユニット５は、収容設置ユニット２の底端から下向きに延伸して設置される。これにより、第二表示カード３１０は、取り外し可能なように挟持されて固定される。第二表示カード３１０は、商品の価格等を表示でき、且つ透明或いは半透明材質により製造される。ネジ１４は、ディスプレイ棚搭載板２００の前縁溝槽２１０の構造の差異（図３及び図８参照）に応じて、長さを調整することができる。
【００２０】
図９〜図１１に示すとおり、第二実施形態の前縁溝槽付きディスプレイ棚搭載板用の組合せ式照明板縁構造１００と前記第一実施形態の構造は類似している。その差異は、連接ユニット１にある。
【００２１】
第二実施形態の連接ユニット１は、板体で、前縁溝槽２１０外側に直接溶接される。収容設置ユニット２は、連接ユニット１（板体）の頂点端と連接し、外へ、及び上へ向かい延伸して設置される。
【００２２】
図１２〜図１４に示すとおり、第三実施形態の前縁溝槽付きディスプレイ棚搭載板用の組合せ式照明板縁構造１００と前記第一実施形態の構造とは類似している。その差異は、連接ユニット１にある。
【００２３】
連接ユニット１は、垂直板部１２及び複数のプラグ部材１５で、垂直板部１２は、前縁溝槽２１０外側に密着する。各プラグ部材１５は、垂直板部１２及び前縁溝槽２１０外側を貫通し、垂直板部１２を固定され、各プラグ部材１５は相互に間隔を開けて設置される。収容設置ユニット２は、連接ユニット１の垂直板部１２の頂点端と連接し、外へ、及び上へ向かい延伸して設置される。
【００２４】
上述の構造により、構造がシンプルなだけでなく、LEDランプセット３は、ディスプレイ棚搭載板２００上に設置される展示品４００へと直接照射され（図４及び図５参照）、第一表示カード３００のバックライトモジュールとして使用されるため、２個の光源を使用する必要がなくなる。且つ商品の商標及び品名等を表示する第一表示カード３００、及び価格等を表示する第二表示カード３１０を同時に挟持して固定することができるため、節電とコスト低下の効果を達成することができる。
【００２５】
前述した本発明の実施形態は本発明を限定するものではなく、よって、本発明により保護される範囲は後述される特許請求の範囲を基準とする。
【符号の説明】
【００２６】
１００  前縁溝槽付きディスプレイ棚搭載板用の組合せ式照明板縁構造
１      連接ユニット
１１    カギ状部
１２    垂直板部
１３    L型板部
１３１  水平段
１３２  垂直段
１４    ネジ
１５    プラグ部材
２      収容設置ユニット
３      LEDランプセット
４      第一挟持ユニット
５      第二挟持ユニット
２００  ディスプレイ棚搭載板
２１０  前縁溝槽
３００  第一表示カード
３１０  第二表示カード
４００  展示品
【図１】
0006397359.tif 000002
【図２】
0006397359.tif 000003
【図３】
0006397359.tif 000004
【図４】
0006397359.tif 000005
【図５】
0006397359.tif 000006
【図６】
0006397359.tif 000007
【図７】
0006397359.tif 000008
【図８】
0006397359.tif 000009
【図９】
0006397359.tif 000010
【図１０】
0006397359.tif 000011
【図１１】
0006397359.tif 000012
【図１２】
0006397359.tif 000013
【図１３】
0006397359.tif 000014
【図１４】
0006397359.tif 000015